(57)【要約】【課題】  パソコン、あるいはＰＤＡ等の情報端末機器等の内部に組込むアンテナにおいて、通信感度に優れ、しかも小型で構造がシンプルな広帯域エレメント、さらには該エレメントを使用した広帯域アンテナを提供する。【解決手段】  グランド板（４）に対向する円弧状部（２ａ）を設けるとともに、細幅状エレメント本体（１）の上端部に、インピーダンス補正のための突起部（２ｂ）を設ける。更に、短絡部（３）により細幅状エレメント本体（１）とグランド板（４）とを電気的に接続し、該円弧状部（２ａ）の給電点（Ｐ１）に同軸ケーブル（５）の内部導体（５ａ）を接続し、グランド板（４）上のアースポイント（Ｐ２）には該同軸ケーブル（５）の外部導体（５ｂ）を接続する。【選択図】  図２
2007202085.tif 000002
【特許請求の範囲】
【請求項１】
細幅状放射電極エレメント本体の一方の端部が短絡部によりグランド板と電気的に接続状態で供され且つ、以下のａ〜ｃの要件を具備することを特徴とする広帯域アンテナエレメント。
ａ．該エレメント本体はグランド板に対向する円弧状部を有すること；
ｂ．該円弧状部を除くエレメント本体の端部または反対側面には、インピーダンス補正のための突起部が設けられていること；および
ｃ．該円弧状部のうち、該グランド板と最短距離にある箇所に給電点が設けられていること。
【請求項２】
該突起部が、矩形状である請求項１に記載の広帯域アンテナエレメント。
【請求項３】
該突起部が、Ｌ字状である請求項１に記載の広帯域アンテナエレメント。
【請求項４】
該Ｌ字状突起部と該エレメント本体との間で、一端開放のスリットが形成された請求項３に記載の広帯域アンテナエレメント。
【請求項５】
該エレメント本体からグランド板に亘る全要素が同一平面上に配設されている請求項１〜４のいずれかに記載の広帯域アンテナエレメント。
【請求項６】
請求項１〜５のいずれかに記載の広帯域アンテナエレメントの給電点に高周波同軸ケーブルの内部導体が接続され他方、該給電点と対峙するグランド板の端部に該高周波同軸ケーブルの外部導体が接続されていることを特徴とする広帯域アンテナ。
【発明の詳細な説明】
【技術分野】
【０００１】
本発明は、パソコン、ＰＤＡ（携帯型情報機器）、携帯電話、あるいはＶＩＣＳなどの情報端末機器等に内蔵させる広帯域のアンテナエレメントに関する。さらに詳しくは、本発明は取り分け広帯域での通信感度に優れた小型アンテナエレメントに関する。  
【背景技術】
【０００２】
近年、無線ＬＡＮあるいはＢＬＵＥＴＯＯＴＨ（近距離無線データ通信システム）搭載のＰＤＡ等においては、アンテナの多周波化とともに小型化の要求がますます強くなってきている。これに対応するため、近年、グランド板と電気的に非接続状態の円弧状放射電極エレメント本体とを含むモノポールあるいはダイポールの広帯域（ＵＷＢ）アンテナエレメントが提案されてきている（例えば、特許文献１参照）。
【０００３】
ところが、これらのアンテナエレメントでは、グランド板と放射電極エレメント本体とが電気的に非接続状態のため、パソコン等の情報端末機器等の内に組込んだ際、情報端末機器の金属筐体部の影響を受け、通信が不安定になるという問題が生じていた。さらに、この現象は、アンテナエレメントを組込む情報端末機器により、バラツキがあるので、現実には機器ごとに調整が必要で、組込の作業性にも問題があった。
【０００４】
他方、上記の円弧状放射電極エレメントをグランド板に電気的に接続した広帯域アンテナエレメントも知られている（例えば、特許文献２参照）。
【０００５】
ところが、このアンテナエレメントでは、同文献２の図４から判るように、広帯域特性が十分でなく、さらには、図１の（ａ）〜（ｄ）で如実に示されるように、その構成が複雑な三次元状の立体構造であるため、その設置箇所に制約を受けるという問題があった。
【０００６】
【特許文献１】特開２００４−３２８７０３号公報
【特許文献２】特開２００１−２１７６３６号公報
【発明の開示】
【発明が解決しようとする課題】
【０００７】
したがって、本発明の課題は、パソコン、あるいはＰＤＡ等の情報端末機器等の内に組込まれ、その際、情報端末機器の影響を受けることなく安定した通信ができ、しかも小型で構造がシンプルな広帯域アンテナエレメント、さらには該エレメントを採用した広帯域アンテナを提供することにある。  
【課題を解決するための手段】
【０００８】
本発明者等は、細幅状放射電極エレメント本体の一方の端部が短絡部によりグランド板と電気的に接続された平面アンテナエレメントにおいて、該エレメント本体に特殊な形状変更を加えることにより、広帯域エレメント、さらには該エレメントを採用した広帯域アンテナを実現するに至った。
【０００９】
すなわち、本発明によれば、細幅状放射電極エレメント本体は、該グランド板と対峙する該本体側面に設けた円弧状部と、該円弧状部を除くエレメント本体の端部または反対側面に設けた、インピーダンス補正手段としての突起部分とを兼備する特殊形状に変更される。そのうえで、該円弧状部のうち、該グランド板と最短距離にある箇所に、給電用同軸ケーブルの内部導体を、同時に、グランド板には該ケーブルの外部導体が接続される。
【発明の効果】
【００１０】
本発明によれば、細幅状放射電極エレメント本体に特殊な形状変更を加えることにより、小型且つ広帯域の平面アンテナエレメントへの対応を実現したものである。これを、従来と比較した場合、帯域幅が大幅に拡大されるという格別顕著な効果が奏される。さらに、アンテナエレメント自体の幅、高さとも従来と遜色なく、しかも、従来のものより構成が簡略化されている。この結果、本発明の広帯域アンテナエレメントはパソコン等の情報端末機器内蔵用として極めて有用である。
【発明を実施するための最良の形態】
【００１１】
以下、本発明を、添付図面に基づいて説明する。
図１は、本発明に係る広帯域アンテナエレメントの一例を示す平面図である。
図２は、図１の広帯域アンテナエレメントを採用したアンテナの一例を示す斜視図である。
図３は、図２のアンテナの周波数特性（ＶＳＷＲ特性）を示す図（グラフ）である。
図４は、本発明に係る広帯域アンテナエレメントの他の態様を示す平面図である。
図５は、本発明に係る広帯域アンテナエレメントのさらに他の態様を示す平面図である。
図６は、図５の広帯域アンテナエレメントを採用したアンテナの周波数特性（ＶＳＷＲ特性）を示す図である。
【００１２】
先ず、本発明の基本的概念について、図１〜図３を参照しながら述べる。これらの図には、細幅状放射電極エレメント本体（以下、“エレメント本体”と略記する）に、グランド板と対峙する本体側面に円弧状部を、そして、該円弧状部を除くエレメント本体の端部または反対側面に、インピーダンス補正手段としての突起部とを設けた広帯域アンテナエレメントが示されている。ここで、（１）はエレメント本体、（２ａ）はエレメント本体（１）に付設された円弧状部、（２ｂ）はエレメント本体（１）の上部側面に付設された、インピーダンス補正のための突起部、（３）は短絡部、（４）はグランド板、そして、（Ｐ１）は、給電用同軸ケーブルの内部導体が接続される給電点、（Ｐ２）は給電用同軸ケーブルの外部導体が接続されるアースポイントである。この場合、短絡板（３）は、エレメント本体（１）の一方の端部とグランド板（４）とを電気的に接続している。
【００１３】
図２には、上記のエレメントを採用したアンテナが示されている。該図において、（１）、（２ａ）、（２ｂ）、（３）、（４）、（Ｐ１）、および（Ｐ２）の符号は図１の場合と同じである。一方、（５）は給電用同軸ケーブル、（５ａ）は給電用同軸ケーブル（５）の内部導体、（５ｂ）は給電用同軸ケーブル（５）の外部導体である。この場合、内部導体（５ａ）および外部導体（５ｂ）は、それぞれに給電点（Ｐ１）およびアースポイント（Ｐ２）に接続されている。
【００１４】
上記の図２のアンテナを、後揚の実施例に示す材質と寸法で作成し、その実験結果であるアンテナの周波数特性（ＶＳＷＲ特性）を示したのが図３である。この図３から、本発明の広帯域アンテナエレメントを使用したアンテナにあっては、ＶＳＷＲ特性を良好に維持しながら、３ＧＨｚ〜１０ＧＨｚという広帯域な範囲に亘る広帯域化が実現されている。
【００１５】
以上に述べた態様で特徴的なことは、エレメント本体（１）の一方の端部とグランド板（４）とを短絡部（３）を介して接続したうえで、グランド板（４）と対峙するエレメント本体（１）の側面には円弧状部（２ａ）を、そして、エレメント本体（１）の反対側面（図に向かって上部側面）にはインピーダンス補正のための突起部（２ｂ）を付設したことにある。こうすることにより、図３に示すように、３ＧＨｚ〜１０ＧＨｚという、広帯域（ＵＷＢ帯域）に亘っての広帯域化が実現できる。
【００１６】
この点について再度、図１〜図３を参照しながら、さらに詳細に述べる。
【００１７】
まず、エレメント本体（１）の一方の端部とグランド板（４）とを短絡部（３）を介して接続したことで、アンテナとしてパソコン等の情報端末機器等の内に組込んだ際にも、情報端末機器の金属筐体部の影響を受けることがなく、したがって、通信が基本的に安定化する。
【００１８】
この状態で、エレメント本体（１）の円弧状部（２ａ）に設けられた給電点（Ｐ１）からの高周波電流は左右に分散するだけでなく、エレメント本体（１）の各種経路を辿って流れ、これとともに、基本波のみでなく、倍周波等の高調波を含めた高周波電磁界が発生して多くの共振点が生じる。このことから、給電点（Ｐ１）の位置も重要になる。つまり、この給電点（Ｐ１）を、円弧状部（２ａ）のうち、グランド板（４）に最も近い箇所に設けることにより、エレメント長が異なる種々の経路が生じ、したがって、可及的に多くの共振点が得られる。このときのエレメント本体（１）の寸法については、その長さが２０〜４０ｍｍ、巾が１〜５ｍｍの範囲にあればよい。また、円弧状部（２ａ）の寸法は、エレメント本体（１）の長さを基準として０．５倍〜１．５倍であればよいが、一般には、０．８倍〜１．２倍の範囲にあればよい。
【００１９】
その際、エレメント本体（１）の上部側面に配したインピーダンス補正手段である突起部（２ｂ）は、リアクタンス成分を増大させ、帯域幅を広げるために寄与する。この突起部（２ｂ）の寸法（縦、横）は、増大させるリアクタンス成分に応じて適宜な寸法を選べばよいが、一般には、エレメント本体の長さを基準として、縦方向に２０％〜５０％、横方向に３０％〜６０％の範囲にあればよい。
【００２０】
短絡部（３）については、その長さが１ｍｍ〜１０ｍｍ、幅が０．５ｍｍ〜１０ｍｍの範囲にあればよい。この短絡部（３）は、エレメント本体（１）とグランド板（４）とを接続する機能を呈する限り、その形状は任意である。また、グランド板（４）については、安定したアンテナ動作を得るためには、その必要最低面積（ｍｍ２）はλ／４＊λ／４（λは波長）以上が必要になる。したがって、より安定したアンテナ動作を望む場合には、スペースの許す限り、その面積を大きくすることが好ましい。
【００２１】
以上に述べたアンテナエレメントの材質としては、洋白（白銅）、銅、鉄、または黄銅等の導電性の金属が好ましく採用される。このアンテナエレメントの作成にあたっては、前記金属の一枚板を放電加工により打ち抜いて、エレメント本体（１）からグランド板（４）に亘る全要素の一体打ち抜き体としてもよい。あるいは、平板状絶縁性基板上に銅箔のような金属薄膜を貼り付けた状態で、該金属膜をエッチングして所望のアンテナエレメント形状を得るのも有用である。
【００２２】
このようなアンテナエレメントへの給電にあたっては、給電用同軸ケーブル（５）の内部導体（５ａ）を給電点（Ｐ１）に、他方、該ケーブルの外部導体（５ｂ）をアースポイント（Ｐ２）に接続すればよい。給電用同軸ケーブル（５）を給電点（Ｐ１）およびアースポイント（Ｐ２）に接続するには、ハンダ付あるいは超音波接続等を利用すればよい。給電用同軸ケーブル（５）としては、周知のフッ素樹脂被覆等の高周波同軸ケーブルが好ましく採用される。
【００２３】
以上の図1〜図３で述べた態様は、エレメント本体（１）からグランド板（４）に亘る全要素を同一平面上に配設した例である。しかしながら、この平面状エレメントは、その設置空間に応じた形状に対応して、種々変形されて供されることは言うまでもない。
【００２４】
さらに本発明に係る広帯域エレメントの一要素である突起部については、種々の態様がある。それらの例は、図４〜図６に示されている。
【００２５】
図４の態様では、エレメント本体（１）に他の端部から該本体の中央部手前まで折り返す形で、Ｌ字状のサブエレメント（６）が付設されている。これにより、図１のエレメントのＵＷＢでの特定の帯域がさらに広帯域化される。例えば、上記のＬ字状のサブエレメント（６）を介して、２．４５ＧＨｚ近辺に共振点を設けることにより、ＵＷＢ帯域外の２．４ＧＨｚ〜２．５０ＧＨｚの周波数特性（ＶＳＷＲ）が改善される。その結果、ＵＷＢ帯域（３ＧＨｚ〜１０ＧＨｚ）に加えて２．４ＧＨｚ〜２．５０ＧＨｚの周波数特性（ＶＳＷＲ）も改善され、より広帯域化される。
【００２６】
この２．４５ＧＨｚ近辺の周波数で共振させるためには、サブエレメント（６）の長さと幅を２．４５ＧＨｚ近辺で共振するよう適宜調整すればよい。つまり、サブエレメント（６）の長さは、通常のモノポールアンテナの場合と同様にほぼ４分の１波長になるよう設定すればよい。より具体的には、２．４５ＧＨｚの場合は１０ｍｍ程度とすればよい。また、その幅は誘起される電界強度と寸法を考慮し０．５ｍｍ〜３ｍｍの範囲で選択すればよい。
【００２７】
図５の態様では、２．４ＧＨｚ〜１０．６ＧＨｚという、さらなる広帯域での対応が実現される。この場合は、エレメント本体（１）の一方の端部から該本体の中央部を超えて延出するＬ字状のサブエレメント（６ａ）が付設され、これにより、エレメント本体（１）との間に形成された一端開放のスリット（７）がスリットアンテナエレメントとして機能する。
【００２８】
この図５の態様で、一端開放のスリット（７）を上記のより広い範囲の周波数で共振させるためには、サブエレメント（６ａ）の長さと幅、さらには、該スリット（７）の長さと幅を、目的とする周波数範囲に応じて適宜調整すればよい。具体的に言えば、サブエレメント（６ａ）の長さは低域２．４ＧＨｚ近辺の周波数特性を改善するような、長さ（約２０ｍｍ）とすればよい。また、１０ＧＨｚ以上の高域の周波数特性を改善するため、一端開放のスリット（７）をスリット共振させている。この意味では、図４のサブエレメント（６）および図５のサブエレメント（６ａ）は、副共振機能を兼ねたインピーダンス補正手段とも言える。一端開放スリット（７）の幅は、スリットアンテナエレメントとして安定に機能させるため、０．１ｍｍ〜４ｍｍであることが好ましく、特に０．５ｍｍ〜１ｍｍが好ましい。
【実施例】
【００２９】
以下に、図１の広域化アンテナエレメントに、図２に示すように、給電用同軸ケーブルを接続してなる、３ＧＨｚ〜１０ＧＨｚの広帯域を実現する情報端末機器内蔵用アンテナの具体例を示す。
【００３０】
先ず、縦４４ｍｍ、横３０ｍｍ、厚さ０．１ｍｍの洋白からなる長方形の平板を放電加工機にて加工して、図１に示す形状のアンテナエレメントを得た。このとき、エレメント本体（１）の長さは２５．５ｍｍ、幅は２ｍｍとし、該本体の下方側面に半径が９．２ｍｍで半径方向の円弧高さが８ｍｍの円弧部（２ａ）を、そして、その上方側面の中央近傍に、幅１０ｍｍ、高さ５．５ｍｍの突起部（２ｂ）が付設された形状とした。
【００３１】
また、エレメント本体（１）の右側端部とグランド板（４）の上部右端とを、短絡部（３）にて電気的に接続した。このときの短絡部（３）は高さ８．５ｍｍ、幅２ｍｍ、そして、グランド板（４）は、縦横ともに３０ｍｍとした。
【００３２】
さらに、円弧状部（２ａ）の最下辺の中央部端面から１ｍｍ内側の位置に給電点（Ｐ１）を設定した。また、アースポイント（Ｐ２）はグランド板（４）上、給電点（Ｐ１）に対向するグランド板（４）の上端部から１ｍｍ内側の位置に設定した。このようにして、高さが４４ｍｍ、幅が３０ｍｍという小型の広帯域アンテナエレメントが完成した。
【００３３】
ついで、上記の広帯域アンテナエレメントを情報端末機器に内蔵させた。その際、アンテナとして機能させるため、外径０．９３ｍｍ、導体径０．２４ｍｍのフッ素樹脂（ＰＦＡ）被覆の高周波同軸ケーブルを給電用同軸ケーブル（５）として用い、その内部導体（５ａ）および外部導体（５ｂ）を、それぞれに給電点（Ｐ１）およびアースポイント（Ｐ２）にハンダにより接続した。このようにして、情報端末機器内蔵用アンテナを得た。
【００３４】
最後に、このアンテナの周波数特性（ＶＳＷＲ）について試験したところ、図３に示す周波数特性が得られた。この図からも明らかなように、本実施例に示すアンテナにあっては、３ＧＨｚ〜１０ＧＨｚの広帯域に亘って共振しており、十分な帯域幅が確保されていることが分かる。
【００３５】
以上の例は、本発明の一例に過ぎず、本発明の思想の範囲内であれば、種種の変更および応用が可能であることは言うまでもない。
【産業上の利用可能性】
【００３６】
本発明の広帯域アンテナエレメント、および該エレメントを含む広帯域アンテナは、パソコンをはじめとしてＰＤＡ等の各種情報端末機器の他に、情報家電製品あるいは自動車関連機器へも内蔵できる。
【図面の簡単な説明】
【００３７】
【図１】本発明に係る広帯域エレメントの一態様を示す平面図である。
【図２】図１の広帯域エレメントを含む、広帯域アンテナの例を示す斜視図である。
【図３】図２の広帯域アンテナの周波数特性（ＶＳＷＲ特性）を示す図である。
【図４】本発明に係る広帯域エレメントの他の態様を示す平面図である。
【図５】本発明に係る広帯域エレメントのさらに他の態様を示す平面図である。
【図６】図５の広帯域アンテナの周波数特性（ＶＳＷＲ特性）を示す図である。
【符号の説明】
【００３８】
１      細幅状放射電極エレメント本体
２ａ    円弧状部
２ｂ    突起部
３      短絡部
４        グランド板
５      給電用同軸ケーブル
５ａ    高周波同軸ケーブルの内部導体
５ｂ    高周波同軸ケーブルの外部導体
６      Ｌ字状サブエレメント
６ａ    Ｌ字状サブエレメント
７      一端開放のスリット
Ｐ１    給電点
Ｐ２
アースポイント
【図１】
2007202085.tif 000003
【図２】
2007202085.tif 000004
【図３】
2007202085.tif 000005
【図４】
2007202085.tif 000006
【図５】
2007202085.tif 000007
【図６】
2007202085.tif 000008